(57)【要約】【課題】  流体加振力の低減を図り、低騒音化を達成し、大容量で仕上がり性の良いかつ省エネが達成できるドラム式洗濯乾燥機を提供することにある。【解決手段】  槽カバーに設けられている温風吹き出し口を別部品とし、前記槽カバーには緩衝部材を介した取り付け構成としたことにある。また、排水溝において、溝の一辺である洗濯兼脱水槽回転の上流側を下流側に傾斜させたこと、さらに、洗濯兼脱水槽回転の下流側から上流側に向けて、先端形状が洗濯兼脱水槽回転中心軸に対しスキュー角を有する庇を設けたことにある。または、前記庇の先端形状を洗濯兼脱水槽回転中心軸方向の中央部が洗濯兼脱水槽回転の上流側に凸形状となるようにしたことにある。また、前記庇を別部品として、前記外槽には緩衝部材を介した取り付け構成としたことにある。【選択図】図４
2010082345.tif 000002
【特許請求の範囲】
【請求項１】
衣類を収容する洗濯兼脱水槽と、この洗濯兼脱水槽を内包する外槽と、前記外槽を支持する筐体と、前記洗濯兼脱水槽を駆動する駆動手段とを備えたドラム式洗濯乾燥機において、
乾燥運転中に、前記洗濯兼脱水槽に収容された衣類に直接風を吹きつける手段を設け、該風を吹きつける手段は、送風手段、該送風手段の吐き出し側に設けた風の加熱手段、及び該加熱手段の下流に設けたノズルとで構成し、該ノズルを有する温風吹き出し口を前記洗濯兼脱水槽の上側に位置する外槽に緩衝材を介して設置したことを特徴とするドラム式洗濯乾燥機。
【請求項２】
洗濯水を循環させるための循環水ポンプユニットと送風のための温風送風ユニットと除湿のための除湿ダクトと給排水のための給排水ユニットを内装しドラム開口部に蓋をするためのドアと工程状態を表示するための表示部を有する筐体と、底部中央を駆動軸に連結し上部に流体バランサーを搭載し衣類の動きを補助するリフターを内装し脱水のための水抜き穴を有する洗濯兼脱水槽と、この洗濯兼脱水槽を内包し排水口につながる排水溝と送風吹き出し口と排出口を有する外槽と、この外槽を前記筐体に内装支持する弾性支持機構と、前記洗濯兼脱水槽を駆動する駆動手段と、駆動および給排水並びに送風を制御する制御装置とを備えたドラム式洗濯乾燥機において、
前記乾燥運転中に、前記洗濯兼脱水槽に収容された衣類に直接風を吹きつける手段を設け、該風を吹きつける手段は、送風手段、該送風手段の吐き出し側に設けた風の加熱手段、及び該加熱手段の下流に設けたノズルとで構成し、該ノズルを有する温風吹き出し口を前記回転ドラムの上側に位置する外槽に緩衝材を介して設置したことを特徴とするドラム式洗濯乾燥機。
【請求項３】
脱水のための水抜き穴を有する洗濯兼脱水槽と、この洗濯兼脱水槽を内包し排水口につながる排水溝を有する外槽と、前記外槽を支持する筐体と、前記洗濯兼脱水槽を駆動する駆動手段とを備えたドラム式洗濯乾燥機において、
前記排水溝の一辺である洗濯兼脱水槽回転の上流側を下流側に傾斜させたことを特徴とするドラム式洗濯乾燥機。
【請求項４】
洗濯水を循環させるための循環水ポンプユニットと送風のための温風送風ユニットと除湿のための除湿ダクトと給排水のための給排水ユニットを内装しドラム開口部に蓋をするためのドアと工程状態を表示するための表示部を有する筐体と、底部中央を駆動軸に連結し上部に流体バランサーを搭載し衣類の動きを補助するリフターを内装し脱水のための水抜き穴を有する洗濯兼脱水槽と、この洗濯兼脱水槽を内包し排水口につながる排水溝と送風吹き出し口と排出口を有する外槽と、この外槽を前記筐体に内装支持する弾性支持機構と、前記洗濯兼脱水槽を駆動する駆動手段と、駆動および給排水並びに送風を制御する制御装置と、を備えたドラム式洗濯乾燥機において、
前記排水溝の一辺である洗濯兼脱水槽回転の上流側を下流側に傾斜させたことを特徴とするドラム式洗濯乾燥機。
【請求項５】
洗濯水を循環させるための循環水ポンプユニットと送風のための温風送風ユニットと除湿のための除湿ダクトと給排水のための給排水ユニットを内装しドラム開口部に蓋をするためのドアと工程状態を表示するための表示部を有する筐体と、底部中央を駆動軸に連結し上部に流体バランサーを搭載し衣類の動きを補助するリフターを内装し脱水のための水抜き穴を有する洗濯兼脱水槽と、この洗濯兼脱水槽を内包し排水口につながる排水溝と送風吹き出し口と排出口を有する外槽と、この外槽を前記筐体に内装支持する弾性支持機構と、前記洗濯兼脱水槽を駆動する駆動手段と、駆動および給排水並びに送風を制御する制御装置と、を備えたドラム式洗濯乾燥機において、
前記排水溝の一辺である洗濯兼脱水槽回転の下流側に、上流側に向けて洗濯兼脱水槽回転中心軸に対しスキュー角を有する庇を設けたことを特徴とするドラム式洗濯乾燥機。
【請求項６】
洗濯水を循環させるための循環水ポンプユニットと送風のための温風送風ユニットと除湿のための除湿ダクトと給排水のための給排水ユニットを内装しドラム開口部に蓋をするためのドアと工程状態を表示するための表示部を有する筐体と、底部中央を駆動軸に連結し上部に流体バランサーを搭載し衣類の動きを補助するリフターを内装し脱水のための水抜き穴を有する洗濯兼脱水槽と、この洗濯兼脱水槽を内包し排水口につながる排水溝と送風吹き出し口と排出口を有する外槽と、この外槽を前記筐体に内装支持する弾性支持機構と、前記洗濯兼脱水槽を駆動する駆動手段と、駆動および給排水並びに送風を制御する制御装置と、を備えたドラム式洗濯乾燥機において、
前記排水溝の一辺である洗濯兼脱水槽回転の下流側に、上流側に向けて洗濯兼脱水槽回転中心軸に対し先端中央部が凸形状の庇を設けたことを特徴とするドラム式洗濯乾燥機。
【請求項７】
洗濯水を循環させるための循環水ポンプユニットと送風のための温風送風ユニットと除湿のための除湿ダクトと給排水のための給排水ユニットを内装しドラム開口部に蓋をするためのドアと工程状態を表示するための表示部を有する筐体と、底部中央を駆動軸に連結し上部に流体バランサーを搭載し衣類の動きを補助するリフターを内装し脱水のための水抜き穴を有する洗濯兼脱水槽と、この洗濯兼脱水槽を内包し排水口につながる排水溝と送風吹き出し口と排出口を有する外槽と、この外槽を前記筐体に内装支持する弾性支持機構と、前記洗濯兼脱水槽を駆動する駆動手段と、駆動および給排水並びに送風を制御する制御装置と、を備えたドラム式洗濯乾燥機において、
前記排水溝の一辺である洗濯兼脱水槽回転の下流側に、上流側に向けた庇を緩衝材を介して設けたことを特徴とするドラム式洗濯乾燥機。
【発明の詳細な説明】
【技術分野】
【０００１】
本発明は洗濯兼脱水槽（ドラム）内で衣類の洗濯や乾燥などを行うドラム式洗濯乾燥機に関するものである。
【背景技術】
【０００２】
従来のドラム式洗濯乾燥機は、筐体の内部に配設され弾性支持される外槽と、この外槽に回転自在に内設される洗濯兼脱水槽と、この洗濯兼脱水槽を駆動するモータと、乾燥運転中に、前記洗濯兼脱水槽に収容された衣類に直接温風を吹きつけ循環させる温風送風ユニットと、循環風から水分を除湿する除湿ダクトと、給排水ユニットと、前記モータ、前記温風送風ユニット、前記給排水ユニットなどの動作を制御する制御装置、などから構成されている。前記洗濯兼脱水槽の開口部にはドアを開閉自在に設けている。前記温風送風ユニットは、送風手段、該送風手段の吐き出し側に設けた風の加熱手段、及び該加熱手段の下流に設けた吹き出し口とで構成し、該吹き出し口は前記外槽に設置されている。
【０００３】
また、前記外槽の底部には、前記洗濯兼脱水槽の回転中心軸方向に長い凹形状の排水溝が設けられている（特開２００６−１３０１９９号公報参照）。
【０００４】
【特許文献１】特開２００６−１３０１９９号公報
【発明の開示】
【発明が解決しようとする課題】
【０００５】
ドラム式洗濯乾燥機において、乾燥時の仕上がり性能向上および省エネ化を目的に、温風風量の大風量化と風速の高速化が図られている。ところで、温風の吹き出し口は、外槽に設けられ、乾燥効率を図るため吹き出し口で温風の向きを変える構成となっている。このため、温風起因の流体力が外槽に作用して外槽を加振することになり、騒音発生の要因となる問題を有している。この結果、静粛性が求められる場合、風速の高速化が図れないという問題も有している。この結果、乾燥力の低下となり、乾燥時間の延長となるという問題も有している。また、仕上がり性も悪化するという問題も有している。
【０００６】
本発明の第１の目的は、前記温風吹き出し口設置形状の適正化により、振動絶縁を図り、低騒音化を達成し、仕上がり性の良いかつ省エネが達成できるドラム式洗濯乾燥機を提供することにある。
【０００７】
また、ドラム式洗濯乾燥機において、大容量化と仕上がり性能向上および省エネ化を目的に、洗濯兼脱水槽径の大径化と脱水回転数の高速化が図られている。ところで、設置性の関係から筐体の大きさは制限を受ける。したがって、必然的に外槽径も制限を受けることになり、外槽内に内包される洗濯兼脱水槽径の大径化は、外槽と洗濯兼脱水槽との隙間の狭小化を伴うこととなる。また、洗濯兼脱水槽回転軸が略水平であるドラム式洗濯乾燥機では、外槽の内側鉛直下側に、回転中心軸方向に長い凹状の排水溝が設けられている。この結果、洗濯兼脱水槽の高速回転時には洗濯兼脱水槽回転に起因する流体力が、前記排水溝に働き、騒音発生の要因となる問題を有している。この結果、静粛性が求められる場合、脱水回転数の高速化が図れないという問題も有している。この結果、脱水力の低下となり、脱水時間の延長や乾燥時間の延長となるという問題も有している。
【０００８】
本発明の第２の目的は、前記排水溝の形状適正化により、流体力の低減を図り、低騒音化を達成し、大容量で仕上がり性の良いかつ省エネが達成できるドラム式洗濯乾燥機を提供することにある。
【課題を解決するための手段】
【０００９】
本発明は、第１の目的を達成するため、衣類を収容する洗濯兼脱水槽と、この洗濯兼脱水槽を内包する外槽と、前記外槽を支持する筐体と、前記洗濯兼脱水槽を駆動する駆動手段とを備えたドラム式洗濯乾燥機において、
乾燥運転中に、前記洗濯兼脱水槽に収容された衣類に直接風を吹きつける手段を設け、該風を吹きつける手段は、送風手段、該送風手段の吐き出し側に設けた風の加熱手段、及び該加熱手段の下流に設けたノズルとで構成し、該ノズルを有する温風吹き出し口を前記洗濯兼脱水槽の上側に位置する外槽に緩衝材を介して設置したことを特徴とする。
【００１０】
また、本発明は第２の目的を達成するため、脱水のための水抜き穴を有する洗濯兼脱水槽と、この洗濯兼脱水槽を内包し排水口につながる排水溝を有する外槽と、前記外槽を支持する筐体と、前記洗濯兼脱水槽を駆動する駆動手段とを備えたドラム式洗濯乾燥機において、
前記排水溝の一辺である洗濯兼脱水槽回転の上流側を下流側に傾斜させたことを特徴とするドラム式洗濯乾燥機。
【発明の効果】
【００１１】
上記手段によれば、送風時に発生する流体力に起因し前記温風吹き出し口に発生する振動は、緩衝材により槽カバーへの伝達は抑制され、大きな発音体である外槽の振動が減少し、振動騒音の低減が図られる。また、槽カバーから本体槽への振動伝達も抑制されるので、振動が減少し、振動騒音の低減が図られる。
【００１２】
また、脱水運転時の洗濯兼脱水槽回転による排水溝での空気流は、排水溝上流側面の傾斜化及び下流側の庇形状により、乱れが抑制され流体騒音の低減が図られる。また、空気流に起因し前記庇に発生する振動は、緩衝材により槽への伝達は抑制され、大きな発音体である外槽の振動が減少し、振動騒音の低減が図られる。
【発明を実施するための最良の形態】
【００１３】
以下、本発明の一実施例について、図面を用いて説明する。
【００１４】
図１は本発明の一実施例の形態例に係るドラム式洗濯乾燥機の外観図である。図２は内部の構造を示すために筐体の一部を切断して示した斜視図、図３は内部の構造を示すために背面カバーを取り外した背面図、図４は内部の構造を示す側面図、図５は内部の構造を示すために筐体の一部を切断して示した平面図である。
【００１５】
１は、外郭を構成する筐体である。筐体１は、ベース１ｈの上に取り付けられており、左右の側板１ａ，１ｂ，前面カバー１ｃ，背面カバー１ｄ，上面カバー１ｅ，下部前面カバー１ｆで構成されている。左右の側板１ａ，１ｂは、コの字型の上補強材（図示せず）、前補強材（図示せず）、後補強材（図示せず）で結合されており、ベース１を含めて箱状の筐体１を形成し、筐体として十分な強度を有している。
【００１６】
９は、前面カバー１ｃの略中央に設けた衣類を出し入れするための投入口を塞ぐドアで、前補強材に設けたヒンジで開閉可能に支持されている。ドア開放ボタン９ｄを押すことでロック機構（図示せず）が外れてドアが開き、ドアを前面カバー１ｃに押し付けることでロックされて閉じる。前補強材は、後述する外槽の開口部と同心に、衣類を出し入れするための円形の開口部を有している。
【００１７】
６は、筐体１の上部中央に設けた操作パネルで、電源スイッチ３９，操作スイッチ１２，１３，表示器１４を備える。操作パネル６は、筐体１下部に設けた制御装置３８に電気的に接続している。
【００１８】
３は、回転可能に支持された円筒状の洗濯兼脱水槽（回転ドラム）であり、その外周壁および底壁に通水および通風のための多数の貫通孔を有し、前側端面に衣類を出し入れするための開口部３ａを設けてある。開口部３ａの外側には洗濯兼脱水槽３と一体の流体バランサー３ｃを備えている。外周壁の内側には軸方向に延びるリフター３ｂが複数個設けてあり、洗濯，乾燥時に洗濯兼脱水槽３を回転すると、衣類はリフター３ｂと遠心力で外周壁に沿って持ち上がり、重力で落下するように動きを繰り返す。洗濯兼脱水槽３の回転中心軸は、水平または開口部３ａ側が高くなるように傾斜している。
【００１９】
２は、円筒状の外槽であり、洗濯兼脱水槽３を同軸上に内包し、前面は開口し、後側端面の外側中央にモータ４を取り付ける。モータ４の回転軸は、外槽２を貫通し、洗濯兼脱水槽３と結合している。前面の開口部には外槽カバー２ｄを設け、外槽内への貯水を可能としている。外槽カバー２ｄの前側中央には、衣類を出し入れするための開口部２ｃを有している。本開口部２ｃと前補強材３７に設けた開口部は、ゴム製のベローズ１０で接続しており、ドア９を閉じることで外槽２を水封する。
【００２０】
外槽２の内側鉛直方向下側には回転中心軸方向に長い凹状の排水溝４５が外槽２底面最下部に排水口２ｂを有して設けられ、排水ホース２６が接続している。排水ホース２６の途中には排水弁（図示せず）が設けてあり、排水弁を閉じて給水することで外槽２に水を溜め、排水弁を開いて外槽２内の水を機外へ排出する。
【００２１】
外槽２は、下側をベース１ｈに固定されたサスペンション５（コイルばねとダンパで構成）で防振支持されている。また、外槽２の上側は上部補強部材に取り付けた補助ばね（図示せず）で支持されており、外槽２の前後方向へ倒れを防ぐ。
【００２２】
１９は、筐体１内の上部左側に設けた洗剤容器で、前部開口から引き出し式の洗剤トレイ７を装着する。洗剤類を入れる場合は、洗剤トレイ７を図１の二点鎖線で示すように引き出す。洗剤容器１９は、筐体１の上補強材に固定されている。
【００２３】
洗剤容器１９の後ろ側には、給水電磁弁１６や風呂水給水ポンプ１７，水位センサ（図示せず）など給水に関連する部品を設けてある。上面カバー１ｅには、水道栓からの給水ホース接続口１６ａ，風呂の残り湯の吸水ホース接続口１７ａが設けてある。洗剤容器１９は、外槽２に接続されており、給水電磁弁１６を開く、あるいは風呂水給水ポンプ１７を運転することで、外槽２に洗濯水を供給する。
【００２４】
２９は筐体１の背面内側に縦方向に設置した乾燥ダクトで、ダクト下部は外槽２の背面下方に設けた吸気口２ａにゴム製の蛇腹管Ｂ２９ａで接続される。乾燥ダクト２９内には、水冷除湿機構（図示せず）を内蔵しており、給水電磁弁１６から水冷除湿機構へ冷却水を供給する。冷却水は乾燥ダクト２９の壁面を伝わって流下し吸気口２ａから外槽２に入り排水口２ｂから排出される。
【００２５】
乾燥ダクト２９の上部は、筐体１内の上部右側に前後方向に設置したフィルタダクト２７に接続している。フィルタダクト２７の前面には開口部を有しており、この開口部に引き出し式の乾燥フィルタ８を挿入してある。乾燥ダクト２９からフィルタダクト２７へ入った空気は、乾燥フィルタ８のメッシュフィルタ８ａに流入し糸くずが除去される。乾燥フィルタ８の掃除は、乾燥フィルタ８を引き出してメッシュ式のフィルタ８ａを取り出して行う。また、フィルタダクト２７の乾燥フィルタ８挿入部の下面には開口部が設けてあり、この開口部は吸気ダクト３３が接続しており、吸気ダクト３３の他端は送風ユニット２８の吸気口と接続している。
【００２６】
送風ユニット２８は、駆動用のモータ２８ａ，ファン羽根車（図示せず），ファンケース２８ｂで構成されている。ファンケース２８ｂにはヒータ３１が内蔵されており、ファン羽根車から送られる空気を加熱する。送風ユニット２８の吐出口は温風ダクト３０に接続する。温風ダクト３０は、ゴム製の蛇腹管Ａ３０ａ，蛇腹管継ぎ手３０ｂを介して外槽カバー２ｄに弾性体などからなる緩衝材３２ｅを介して締結された温風吹き出し口３２に接続している。本実施例では、送風ユニット２８が筐体１内の上部右側に設けてあるので、温風吹き出し口３２は外槽カバー２ｄの右斜め上の位置に設け、温風吹き出し口３２までの距離を極力短くするようにしてある。
【００２７】
排水口２ｂ，送風ユニット２８の吸気口及び吐出口には温度センサ（図示せず）が設けてある。
【００２８】
本発明のドラム式洗濯乾燥機では、大容量化と乾燥時の仕上がり性能向上および省エネ化を目的に、ドラム径の大径化と脱水回転数の高速化、並びに、温風風量の大風量化と風速の高速化が図られている。
【００２９】
高速の風を衣類に直接当て、風の力で衣類に発生するしわを伸ばすことを特徴とする本洗濯機においては、高速の風を発生する送風ユニット２８とこの風を直接衣類に当てる温風吹き出し口３２が必要となる。温風吹き出し口３２の詳細を図６，図７を用いて説明する。図６は温風吹き出し口２８設置部の外槽カバー２ｄの正面図、図７は図６の二点鎖線Ａ−Ａで切断して示した温風吹き出し口３２の断面図である。
【００３０】
温風吹き出し口３２は、外槽カバー２ｄの前側から開口部２ｃに沿って弾性体などからなる緩衝材３２ｅを介して締結してあり、内部に流路３２ｂ，３２ｃが形成されている。温風吹き出し口３２の入口には蛇腹管継ぎ手３０ｂが取り付けてあり、流路３２ｃの出口にはノズル３２ｄが形成されている。洗濯兼脱水槽３と外槽カバー２ｄとのすき間に衣類が入り込まないよう、外槽カバー２ｄの開口部２ｃの内径と洗濯兼脱水槽３の開口部３ａの内径は、ほぼ同一に設定されている。温風吹き出し口３２の出口部３２ａを開口部２ｃの内周面より内側に飛び出すように形成し、ノズル３２ｄが洗濯兼脱水槽３内に向かって開口するようにすることで、ノズル３２ｄから出た温風は直接洗濯兼脱水槽３内の衣類に当たる。
【００３１】
乾燥運転時の風の流れは次のようになる。送風ユニット２８を運転し、ヒータ３１に通電すると、ノズル３２ｄから洗濯兼脱水槽３内に高速の温風が吹き込み（矢印４１）、湿った衣類に当たり、衣類を温め衣類から水分が蒸発する。高温多湿となった空気は、洗濯兼脱水槽３に設けた貫通孔から外槽２に流れ、吸気口２ａから乾燥ダクト２９に吸い込まれ、乾燥ダクト２９を下から上へ流れる（矢印４２）。乾燥ダクト２９の壁面には、水冷除湿機構からの冷却水が流れ落ちており、高温多湿の空気は冷却水と接触することで冷却除湿され、乾いた低温空気となりフィルタダクト２７へ入る（矢印４３）。フィルタダクト２７に設けたメッシュフィルタ８ａを通り糸屑が取り除かれ、吸気ダクト３３に入り、送風ユニット２８に吸い込まれる（矢印４４）。そして、ヒータ３１で再度加熱され、洗濯兼脱水槽３内に吹き込むように循環する。この間、洗濯兼脱水槽３を低速で正逆回転させ、衣類をノズル３２ｄの近くまで持ち上げ、高速の温風が衣類に直接当たるようにする。
【００３２】
一般に洗濯機における騒音の主要な発音体は外槽２であり、この外槽２への振動伝達の遮断が騒音低減の有効な手段となる。上述のように、送風ユニット２８で発生する振動は幸いにも蛇腹管継ぎ手３０ｂを介した接続構成により外槽２への振動伝達は抑制されている。しかし、風の流れは温風吹き出し口３２でその方向を変えることになり、その際風が有している脈動圧力により温風吹き出し口３２は加振されることになる。
【００３３】
本発明では、温風吹き出し口３２は弾性体などからなる緩衝材３２ｅを介して外槽カバー２ｄに締結する構成とした特徴を有することで、前記風の脈動圧力で温風吹き出し口３２に発生した振動を吸収し、外槽カバー２ｄへの振動伝達を抑制する機能を働かさせている。
【００３４】
ところで、大容量化と省エネ化を特徴とする本洗濯機においては、洗濯兼脱水槽３径の大径化と脱水回転数の高速化が図られている。この際、設置性の関係から筐体１の大きさは制限を受ける。したがって、必然的に外槽２径も制限を受けることになり、外槽２内に内包される洗濯兼脱水槽３径の大径化は、外槽２と洗濯兼脱水槽３の隙間の狭小化を伴うこととなる。この結果、洗濯兼脱水槽３の回転に起因した隙間流れの流体力の外槽２への作用が増大することになる。また、上述しているように、本洗濯機では、外槽２の内側鉛直下側に、回転中心軸方向に長い凹状の排水溝４５が設けられているため、高速回転時には上記流体力が、前記排水溝４５に働くことになる。
【００３５】
排水溝の詳細を図８（ａ），図８（ｂ）を用いて説明する。図８（ａ）は、第２の実施形態の排水溝４５における洗濯兼脱水槽３の回転中心軸方向中央部の断面図、図８（ｂ）は斜視図である。図において、洗濯兼脱水槽３の脱水工程時の回転方向は正面から見て反時計回りで（矢印Ａ）方向である。排水溝４５は、洗濯兼脱水槽３の回転方向上流側は下流側に向けて傾斜した面で構成され、その傾斜は、幅４５ｃと高さ４５ｄがほぼ等しい程度で、各連結部は滑らかな結合となっている。下流側には、上流側に向けて張り出した庇４５ｂが設けられ、前記庇４５ｂ先端はエッジではない丸みを有し、排水口２ｂを半分程度覆う張り出し長さで洗濯兼脱水槽３の回転中心軸に対し約１０度程度のスキュー角４５ｅをもつ特徴を有する構成となっている。前記スキュー角４５ｅは、図とは逆方向であっても、その機能は維持される。
【００３６】
本発明では、上流側では外槽２と洗濯兼脱水槽３の隙間を無段階に変化させることで急激な圧力変動を抑制し、下流側ではスキュー角４５ｅを設けることで流体力の位相を変化させて作用流体力の分散を図り、流体騒音発生の抑制と作用する流体力を抑制する二つの機能を働かさせている。
【００３７】
図９（ａ）は、第３の実施形態の排水溝４５における洗濯兼脱水槽３の回転中心軸方向中央部の断面図、図９（ｂ）は斜視図である。図において、洗濯兼脱水槽３の脱水工程時の回転方向は正面から見て反時計回りで（矢印Ａ）方向である。排水溝４５は、洗濯兼脱水槽３の回転方向上流側は下流側に向けて傾斜した面で構成され、その傾斜は、幅４５ｃと高さ４５ｄがほぼ等しい程度で、各連結部は滑らかな結合となっている。下流側には、上流側に向けて張り出した庇４５ｂが設けられ、前記庇４５ｂ先端はエッジではない丸みを有し、排水口２ｂを半分程度覆う張り出し長さで洗濯兼脱水槽３の回転中心軸方向長さの中央部が上流側に凸形状の先端付近である特徴を有する構成となっている。
【００３８】
本発明では、上流側では外槽２と洗濯兼脱水槽３の隙間を無段階に変化させることで急激な圧力変動を抑制し、下流側では中央部凸形状とすることで流体力の位相を変化させて作用流体力の分散を図り、流体騒音発生の抑制と作用する流体力を抑制する二つの機能を働かさせている。
【００３９】
図１０（ａ）は、第４の実施形態の排水溝４５における洗濯兼脱水槽３の回転中心軸方向中央部の断面図、図１０（ｂ）は斜視図である。図において、洗濯兼脱水槽３の脱水工程時の回転方向は正面から見て反時計回りで（矢印Ａ）方向である。排水溝４５は、洗濯兼脱水槽３の回転方向上流側は下流側に向けて傾斜した面で構成され、その傾斜は、幅４５ｃと高さ４５ｄがほぼ等しい程度で、各連結部は滑らかな結合となっている。下流側には、上流側に向けて張り出した庇４５ｂが弾性体などからなる緩衝材４５ｆ，４５ｇ，４５ｈを介して外槽２に突起４５ｉとへこみ４５ｊの嵌合とネジ締結で連結され、前記庇４５ｂ先端はエッジではない丸みを有し、排水口２ｂを半分程度覆う張り出し長さである特徴を有する構成となっている。
【００４０】
本発明では、上流側では外槽２と洗濯兼脱水槽３の隙間を無段階に変化させることで急激な圧力変動を抑制し、下流側では弾性体などからなる緩衝材を介して外槽２に締結する構成としたことで流体力起因の振動を吸収し、外槽２への振動伝達を抑制する二つの機能を働かさせている。
【００４１】
以上、本発明の実施例によれば、送風時に発生する流体力に起因し前記温風吹き出し口に発生する振動は、緩衝材により槽カバーへの伝達は抑制され、大きな発音体である外槽の振動が減少し、振動騒音の低減が図られる。また、槽カバーから本体槽への振動伝達も抑制されるので、振動が減少し、振動騒音の低減が図られる。
【００４２】
また、脱水運転時の洗濯兼脱水槽回転による排水溝での空気流は、排水溝上流側面の傾斜化及び下流側の庇形状により、乱れが抑制され流体騒音の低減が図られる。また、空気流に起因し前記庇に発生する振動は、緩衝材により槽への伝達は抑制され、大きな発音体である外槽の振動が減少し、振動騒音の低減が図られる。
【００４３】
これらの結果、送風の高速化と脱水回転数の高速化が達成され、大容量で仕上がり性の良いかつ省エネが達成できるドラム式洗濯乾燥機の提供が可能となる。
【図面の簡単な説明】
【００４４】
【図１】本発明のドラム式洗濯乾燥機を示す外観図。
【図２】本発明のドラム式洗濯機の筐体の一部を切断して内部構造を示す斜視図。
【図３】本発明のドラム式洗濯機の背面カバーを外して内部構造を示す背面図。
【図４】本発明のドラム式洗濯機の内部構造を示す側面図。
【図５】本発明のドラム式洗濯機の筐体の上部を切断して内部構造を示す上面図。
【図６】本発明に実施形態１に係る温風吹き出し口を設けた外槽カバーの正面図。
【図７】図６における温風吹き出し口のＡ−Ａ断面図。
【図８】本発明に実施形態２に係る要部断面図及び斜視図。
【図９】本発明に実施形態３に係る要部断面図及び斜視図。
【図１０】本発明に実施形態４に係る要部断面図及び斜視図。
【符号の説明】
【００４５】
１  筐体
２  外槽
２ｄ  外槽カバー
３  洗濯兼脱水槽
４，２８ａ  モータ
６  操作パネル
８  乾燥フィルタ
９  ドア
１６  給水電磁弁
２７  フィルタダクト
２８  送風ユニット
２８ｂ  ファンケース
２９  乾燥ダクト
３１  ヒータ
３２  温風吹き出し口
３２ｄ  ノズル
３３  吸気ダクト
３８  制御装置
４５  排水溝
【図１】
2010082345.tif 000003
【図２】
2010082345.tif 000004
【図３】
2010082345.tif 000005
【図４】
2010082345.tif 000006
【図５】
2010082345.tif 000007
【図６】
2010082345.tif 000008
【図７】
2010082345.tif 000009
【図８】
2010082345.tif 000010
【図９】
2010082345.tif 000011
【図１０】
2010082345.tif 000012